(57)【要約】【課題】  キッチンの不使用時にはテーブル部がシンクの内部などを視界から遮って室内の美観を保つことができ、キッチンの使用時にはテーブル部を無理のない姿勢で有効利用することのできるキッチン。【解決手段】  シンク（１１）を有するキッチン本体部（１）と、キッチン本体部を天板（２１ａ）が実質的に覆う不使用位置とキッチン本体部に天板が隣接する使用位置との間で切り換え可能なテーブル部（２）と、キッチン本体部を２つの高さ位置の間で昇降させるための昇降ユニット（１６）とを備えている。テーブル部の天板には、ＩＨコンロが設けられている。【選択図】  図２
2006180955.tif 000002
【特許請求の範囲】
【請求項１】
シンクを有するキッチン本体部と、
前記キッチン本体部を天板が実質的に覆う不使用位置と前記キッチン本体部に前記天板が隣接する使用位置との間で切り換え可能なテーブル部と、
前記キッチン本体部を２つの高さ位置の間で昇降させるための昇降ユニットとを備えていることを特徴とするキッチン。
【請求項２】
前記テーブル部の前記天板には、ＩＨコンロが設けられていることを特徴とする請求項１に記載のキッチン。
【請求項３】
前記テーブル部の前記不使用位置から前記使用位置への切り換えに際して前記ＩＨコンロに対する通電が不能状態から可能状態へ切り換わるように構成されていることを特徴とする請求項２に記載のキッチン。
【発明の詳細な説明】
【技術分野】
【０００１】
本発明は、キッチンに関し、特にアイランド型のキッチンの基本的構造に関するものである。
【背景技術】
【０００２】
従来、四方が壁に接することなく設置されるアイランド型のキッチンが知られている。アイランド型のキッチンでは、アクセス自由度の高い点が特徴であるが、シンクの内部などが室内にいる人の視界に入り易い。
【０００３】
そこで、従来、キッチンを使用しない時には回転自在な甲板でシンクを覆うことにより、シンクの内部などを視界から遮って室内の美観を保つ技術が提案されている（たとえば特許文献１の図１、図２およびこれらの図に関連する記載を参照）。
【０００４】
【特許文献１】実開平４−５６０３９号公報
【発明の開示】
【発明が解決しようとする課題】
【０００５】
上述した従来技術では、キッチンの不使用時にシンクを覆う甲板は、その設置位置が高すぎて、またその幅寸法が小さすぎて、キッチンの使用時にシンクを覆う位置から９０度程度回転した状態においてテーブルの天板として有効利用することが困難である。
【０００６】
本発明は、前述の課題に鑑みてなされたものであり、キッチンの不使用時にはテーブル部がシンクの内部などを視界から遮って室内の美観を保つことができ、キッチンの使用時にはテーブル部を無理のない姿勢で有効利用することのできるキッチンを提供することを目的とする。
【課題を解決するための手段】
【０００７】
前記課題を解決するために、本発明では、シンクを有するキッチン本体部と、
前記キッチン本体部を天板が実質的に覆う不使用位置と前記キッチン本体部に前記天板が隣接する使用位置との間で切り換え可能なテーブル部と、
前記キッチン本体部を２つの高さ位置の間で昇降させるための昇降ユニットとを備えていることを特徴とするキッチンを提供する。
【０００８】
本発明の好ましい態様によれば、前記テーブル部の前記天板には、ＩＨコンロが設けられている。この場合、前記テーブル部の前記不使用位置から前記使用位置への切り換えに際して前記ＩＨコンロに対する通電が不能状態から可能状態へ切り換わるように構成されていることが好ましい。
【発明の効果】
【０００９】
本発明では、シンクを有するキッチン本体部とテーブル部とを備え、テーブル部はその天板がキッチン本体部を実質的に覆う不使用位置とキッチン本体部に天板が隣接する使用位置との間で切り換え可能に構成されている。また、キッチン本体部を２つの高さ位置の間で昇降させるための昇降ユニットを備えている。
【００１０】
したがって、キッチン本体部を使用しない時には、昇降ユニットの作用によりキッチン本体部を例えば最も低い高さ位置まで降下させた後に、テーブル部を不使用位置に移動させて天板によりキッチン本体部を実質的に覆う。一方、キッチン本体部を使用する時には、キッチン本体部に天板が隣接する使用位置までテーブル部を移動させた後に、昇降ユニットの作用によりキッチン本体部を所望の高さ位置まで上昇させる。
【００１１】
こうして、本発明では、キッチン本体部を使用しない時には、テーブル部の天板によりキッチン本体部（ひいてはシンクなど）を実質的に覆うことにより、シンクの内部などを視界から遮って室内の美観を保つことができる。また、キッチン本体部を使用する時には、キッチン本体部に隣接するテーブル部の天板がキッチン本体部よりもある程度低い所望の高さ位置に設定されるので、テーブル部を無理のない姿勢で有効利用することができる。
【００１２】
なお、本発明では、テーブル部の天板にＩＨコンロを設けることが好ましい。この場合、テーブル部の比較的薄い天板に加熱調理部を組み込むことが容易になる。また、アイランド型のキッチン（キッチン本体部）であっても、壁に比較的近い位置において加熱調理部を使用することになるので、加熱調理部から発生する煙や蒸気などを室内に留めることなく速やかに壁外へ導き出すことが容易になる。
【００１３】
また、本発明では、テーブル部の不使用位置から使用位置への切り換えに際してＩＨコンロに対する通電が不能状態から可能状態へ切り換わるように構成されていることが好ましい。この構成により、不使用位置と使用位置との間で随時切り換え可能なテーブル部の比較的薄い天板に組み込まれたＩＨコンロに対する電気の供給経路の確保が容易になる。
【発明を実施するための最良の形態】
【００１４】
本発明の実施形態を、添付図面に基づいて説明する。図１は、本発明の実施形態にかかるキッチンの構成を概略的に示す平面図である。また、図２は、図１の線Ａ−Ａに沿った断面図である。図１および図２を参照すると、本実施形態のキッチンは、その使用状態において、キッチン本体部１と、キッチン本体部１に隣接して壁Ｗとの間に位置決めされたテーブル部２と、壁Ｗに取り付けられたレンジフード部３とを備えている。
【００１５】
キッチン本体部１は、シンク１１と、シンク１１の隅角部の近傍に設けられた昇降型の水栓１２と、シンク１１に隣接して設けられたカウンター１３と、カウンター１３のシンク１１側とは反対側の端部に設けられたツイン型（水・湯）の浄水器１４とを備えている。テーブル部２は、テーブル２１と、その天板２１ａ上に設けられたＩＨコンロからなる加熱調理部２２とを備えている。
【００１６】
レンジフード部３は、ファン３１ａを内蔵するレンジフード本体３１と、加熱調理部２２から（厳密には加熱調理部２２に載置された鍋２２ａなどから）発生する煙や蒸気などを捕集してレンジフード本体３１へ導くために加熱調理部２２の上方を覆うカバー部３２と、壁Ｗの外側に取り付けられて雨水や風が屋内に侵入するのを防止するための屋外カバー３３とを備えている。
【００１７】
本実施形態では、テーブル部２が、キッチン本体部１をテーブル２１の天板２１ａが実質的に覆う不使用位置とキッチン本体部１に天板２１ａが隣接する使用位置との間で切り換え可能に構成されている。また、キッチン本体部１の４本の脚部１５には、脚部１５の長さを調節してキッチン本体部１を２つの高さ位置の間で昇降させるための昇降ユニット１６がそれぞれ組み込まれている。
【００１８】
以下、図３〜図５を参照して、テーブル部２を不使用位置から使用位置へ切り換える動作を説明する。図３に示すように、キッチンを使用しない時には、キッチン本体部１が最も低い高さ位置に設定され、テーブル２１の天板２１ａがキッチン本体部１を実質的に覆うように設定される。換言すれば、キッチンの不使用状態では、キッチン本体部１のシンク１１、低位置まで降下した水栓１２、およびカウンター１３が、テーブル２１の天板２１ａにより覆われる。
【００１９】
一方、キッチンを不使用状態から使用状態へ移行させるには、図４に示すように、キッチン本体部１を最も低い高さ位置に維持したまま、テーブル２１の天板２１ａがキッチン本体部１を実質的に覆う不使用位置（図３に示す位置）から、天板２１ａがキッチン本体部１に隣接する使用位置（図４に示す位置）まで、キッチン本体部１の横方向に沿ってテーブル部２を水平移動させる。
【００２０】
なお、テーブル部２を円滑に水平移動させるには、テーブル２１の４本の脚部２１ｂの下端にキャスターのような円滑可動手段（不図示）をそれぞれ取り付けることが好ましい。次いで、図５に示すように、キッチン本体部１の脚部１５には組み込まれた昇降ユニット１６の作用により脚部１５を伸張させて、キッチン本体部１を所定の高さ位置に設定する。また、水栓１２を高位置まで上昇させて使用可能な状態に設定する。
【００２１】
具体的には、使用状態におけるキッチン本体部１のカウンター１３の高さ位置を、使用者の身長などに応じて、たとえば床面から８００ｍｍ〜９００ｍｍの間の高さ位置に設定する。一方、テーブル２１の天板２１ａの高さ位置は、たとえば床面から７００ｍｍ〜７５０ｍｍの間の高さ位置に設定されている。上述の操作により、テーブル部２が不使用位置から使用位置へ切り換えられ、ひいてはキッチンの不使用状態から使用状態への移行が完了する。
【００２２】
また、キッチン本体部１は、シンク１１の排水口１１ａの上方を覆うようにシンク１１の周囲に着脱自在なプレート部材４１を備えている。そして、たとえば円形状のプレート部材４１の下側面には、シンク１１の排水口１１ａおよびその近傍の領域に向かって真っ直ぐ下方へ紫外線４２ａを照射するための光照射部４２が設けられている。光照射部４２として、たとえばＬＥＤ（発光ダイオード）を用いることができる。
【００２３】
また、キッチン本体部１は、排水口１１ａおよびその近傍の領域から発生する臭気（図２中破線の矢印４３で示す）を吸い込んで浄化するための浄化部を備えている。具体的に、浄化部は、シンク１１の壁部１１ｂに設けられた臭気吸込口４４と、臭気吸込口４４を介して吸い込まれ且つ配管４５を介して導かれた臭気を含む空気を浄化するための空気浄化ユニット４６とを有する。
【００２４】
空気浄化ユニット４６で浄化された清浄な空気は、配管４７を介して、使用位置に設定されたテーブル部２の天板２１ａを（ひいては加熱調理部２２を）臨む所定位置に設けられたエア噴出口４８まで導かれる。そして、エア噴出口４８から噴射された空気は、図２中破線の矢印４９で示すようなエアーカーテンを形成する。なお、エアーカーテン４９の作用については後述する。
【００２５】
レンジフード部３では、図２に明瞭に示すように、レンジフード本体３１の一部（好ましくは例えば半分以上）が壁Ｗに埋め込まれている。また、カバー部３２は、加熱調理部２２の上方を覆う使用位置（図５（ｂ）に示す状態）と、レンジフード本体３１を覆う休止位置（図３（ｂ）に示す状態）との間で揺動可能にレンジフード本体３１の上端に取り付けられている。
【００２６】
加熱調理部２２の使用時には、加熱調理部２２に載置された鍋２２ａから発生する煙や蒸気などが、自然上昇してカバー部３２に捕集される。このとき、レンジフード本体３１に内蔵されるファン３１ａが形成する気流により、カバー部３２による煙や蒸気などの捕集を助長される。カバー部３２に捕集された煙や蒸気などは、ファン３１ａの作用によりカバー部３２の内側面に沿ってレンジフード本体３１の内部へ導かれ、屋外カバー３３を介して外部へ速やかに排出される。
【００２７】
以上のように、本実施形態のキッチンは、シンク１１を有するキッチン本体部１とテーブル部２とを備え、テーブル部２はその天板２１ａがキッチン本体部１を実質的に覆う不使用位置とキッチン本体部１に天板２１ａが隣接する使用位置との間で切り換え可能に構成されている。また、キッチン本体部１を２つの高さ位置の間で昇降させるための昇降ユニット１６を備えている。
【００２８】
したがって、キッチン本体部１を使用しない時には、昇降ユニット１６の作用によりキッチン本体部１を例えば最も低い高さ位置まで降下させた後に、テーブル部２を不使用位置に移動させて天板２１ａによりキッチン本体部１を実質的に覆う。一方、キッチン本体部１を使用する時には、キッチン本体部１に天板２１ａが隣接する使用位置までテーブル部２を移動させた後に、昇降ユニット１６の作用によりキッチン本体部１を所望の高さ位置まで上昇させる。
【００２９】
こうして、本実施形態では、キッチン本体部１を使用しない時には、テーブル部２の天板２１ａによりキッチン本体部１（ひいてはシンク１１、水栓１２、カウンター１３など）を実質的に覆うことにより、シンク１１の内部などを視界から遮って室内の美観を保つことができる。また、キッチン本体部１を使用する時には、キッチン本体部１に隣接するテーブル部２の天板２１ａがキッチン本体部１のカウンター１３の高さ位置（たとえば床面から８００ｍｍ〜９００ｍｍの間の高さ位置）よりもある程度低い所望の高さ位置（たとえば床面から７００ｍｍ〜７５０ｍｍの間の高さ位置）に設定されるので、テーブル部２を無理のない姿勢で有効利用することができる。
【００３０】
また、本実施形態では、テーブル部２の天板２１ａにＩＨコンロを設けているので、テーブル部２の比較的薄い天板２１ａに加熱調理部２２を組み込むことが容易になっている。また、アイランド型のキッチン（キッチン本体部１）であっても、壁Ｗに比較的近い位置において加熱調理部２２を使用することになるので、加熱調理部２２から発生する煙や蒸気などを室内に留めることなく速やかに壁外へ導き出すことが容易になっている。
【００３１】
なお、本実施形態では、テーブル部２の不使用位置から使用位置への切り換えに際して加熱調理部２２のＩＨコンロに対する通電が不能状態から可能状態へ切り換わるように構成されていることが好ましい。この構成により、不使用位置と使用位置との間で随時切り換え可能なテーブル部２の比較的薄い天板２１ａに組み込まれたＩＨコンロに対する電気の供給経路の確保が容易になる。
【００３２】
また、本実施形態では、シンク１１の排水口１１ａおよびその近傍の領域に紫外線を照射するための光照射部４２と、排水口１１ａおよびその近傍の領域から発生する臭気を吸い込んで浄化するための浄化部（４４〜４６）とを備えているので、紫外線照射による殺菌だけでなく、排水口１１ａに滞留した生ゴミなどに起因して発生する臭気を強制的に除去することができ、ひいてはシンク１１内の衛生を良好に保持することができる。
【００３３】
また、本実施形態では、シンク１１の壁部１１ｂに設けられた臭気吸込口４４と、この臭気吸込口４４を介して吸い込まれた臭気を含む空気を浄化するための空気浄化ユニット４６とにより浄化部を構成しているので、浄化部の構成が比較的簡素になっている。また、本実施形態では、排水口１１ａおよびその近傍の領域に対して上方から紫外線を照射するように光照射部４２を構成しているので、シンク１１の底部で反射した有害な紫外線がシンク１１に正対して作業をする人の眼に入射する可能性がほとんどなくなり、衛生的な観点だけでなく安全性の観点からも優れている。
【００３４】
また、本実施形態では、排水口１１ａの上方を覆うようにシンク１１の周囲に着脱自在なプレート部材４１に光照射部４２を設けているので、比較的簡素な構成にしたがって、排水口１１ａおよびその近傍の領域に対して上方から紫外線を随時照射することが容易になっている。なお、本実施形態では、プレート部材４１に設けられた光照射部４２に加えて、あるいはプレート部材４１に設けられた光照射部４２に代えて、テーブル部２の天板２１ａの対応位置に光照射部を設けることもできる。この場合、天板２１ａがキッチン本体部１を実質的に覆う不使用位置においても、必要に応じて排水口１１ａおよびその近傍の領域に対して上方から紫外線を照射することができる。
【００３５】
また、本実施形態において、加熱調理部２２を使用しない時には、レンジフード（３１，３２）が図３（ｂ）に示すような休止位置に設定され、カバー部３２が壁Ｗから大きく突出することなく、実質的に壁Ｗに埋め込まれたレンジフード本体３１を覆うことになる。その結果、レンジフード（３１，３２）は全体として非常にコンパクトな形態になり、加熱調理部２２の上方のスペースが解放される。
【００３６】
一方、加熱調理部２２を使用する時には、レンジフード（３１，３２）が図５（ａ）に示すような使用位置に設定され、加熱調理部２２から発生する煙や蒸気などを捕集するためにカバー部３２が壁Ｗから大きく突出することになる。しかしながら、レンジフード本体３１が実質的に壁Ｗに埋め込まれているので、レンジフード（３１，３２）は全体として比較的コンパクトな形態である。
【００３７】
こうして、本実施形態のキッチンにおけるレンジフード（３１，３２）では、加熱調理部２２の不使用時にはその上方のスペースを解放することができ、且つ全体としてコンパクトな形態を有する。なお、本実施形態では、カバー部３２の先端に照明部（不図示）を設けることにより、加熱調理部２２およびその周辺での作業を明るい環境で効率良く行うことができる。
【００３８】
また、本実施形態では、図２に示すように、エアーカーテン４９の作用により、加熱調理部２２において発生する煙や蒸気などをカバー部３２に向かって導き、煙や蒸気などを室内に留めることなくカバー部３２により速やかに且つ効果的に捕集することができる。また、本実施形態では、カバー部３２の先端にファン（不図示）を設けることにより、加熱調理部２２から発生する煙や蒸気などをカバー部３２の内側面に沿ってレンジフード本体３１へ確実に導き、ひいては加熱調理部２２から発生する煙や蒸気などの捕集効果をさらに高めることができる。
【００３９】
また、本実施形態では、休止位置におけるカバー部３２の外側面に、例えば液晶表示装置のような表示パネル（不図示）を取り付けることにより、レシピのような情報を適時表示させることができ、キッチンにおける作業性が向上する。また、表示パネルとしてＴＶ装置を取り付けてもよいし、表示パネルに代えてインテリアとして絵や木目調のパネルなどをカバー部３２の外側面に取り付けてもよい。
【００４０】
なお、上述の実施形態では、ＩＨコンロからなる加熱調理部をテーブル部の天板に設けているが、これに限定されることなく、他の形態の加熱調理部をテーブル部の適当な部位に設けることもできる。
【図面の簡単な説明】
【００４１】
【図１】本発明の実施形態にかかるキッチンの構成を概略的に示す平面図である。
【図２】図１の線Ａ−Ａに沿った断面図である。
【図３】テーブル部を不使用位置から使用位置へ切り換える動作を説明する第１の図である。
【図４】テーブル部を不使用位置から使用位置へ切り換える動作を説明する第２の図である。
【図５】テーブル部を不使用位置から使用位置へ切り換える動作を説明する第３の図である。
【符号の説明】
【００４２】
Ｗ  壁
１  キッチン本体部
２  テーブル部
３  レンジフード部
１１  シンク
１２  昇降型水栓
１３  カウンター
１４  ツイン型浄水器
１５  キッチン本体部の脚部
１６  昇降ユニット
２１  テーブル
２１ａ  天板
２２  加熱調理部（ＩＨコンロ）
３１  レンジフード本体
３２  カバー部
３３  屋外カバー
【図１】
2006180955.tif 000003
【図２】
2006180955.tif 000004
【図３】
2006180955.tif 000005
【図４】
2006180955.tif 000006
【図５】
2006180955.tif 000007